(57)【要約】【課題】各表示部における輝度の均一性を確保しつつ、装置全体の薄型化を実現すること。【解決手段】表示部（５０２）に対応してプリント基板（２）に対向配置される透光性を有する７つの導光部（４０２）と、導光部（４０２）が配置される導光部配置部（３０３）とＬＥＤ（２０１）を収納可能なＬＥＤ配置部（３０４）とが連続して形成されてなる収容部（３０２）が導光部（４０２）に対応して７つ設けられると共に、プリント基板（２）に対向配置される遮光性のフレーム（３）とを備えた７セグメント表示装置（１）において、２つの枠状部の内側に、それぞれＬＥＤ配置部（３０４）を３つずつ設けると共に、枠状部の外側に１つのＬＥＤ配置部（３０４）を設けたことを特徴とする。【選択図】図７
2013190745.tif 000002
【特許請求の範囲】
【請求項１】
アラビア数字の８を表すように、２つの四角形状の枠状部の一辺を共通にして一方向に沿って繋げて形成される前記枠状部の各辺に対応した７つの表示部を、プリント基板上に配置された７つのＬＥＤによって照光可能な７セグメント表示装置であって、
前記表示部に対応して前記プリント基板に対向配置される透光性を有する７つの導光部と、前記導光部が個別に配置される導光部配置部と前記ＬＥＤを収納可能なＬＥＤ配置部とが連続して形成されてなる収容部が前記導光部に対応して７つ設けられると共に前記プリント基板に対向配置される遮光性のフレームとを備え、２つの前記枠状部の内側に、それぞれ前記ＬＥＤ配置部を３つずつ設けると共に、前記枠状部の外側に１つの前記ＬＥＤ配置部を設けたことを特徴とする７セグメント表示装置。
【請求項２】
前記枠状部の外側に設けられた前記１つのＬＥＤ配置部は、２つの前記枠状部で共通にした一辺と対向するいずれかの一辺に対応する表示部を挟んで前記枠状部で共通にした一辺とは反対側の位置に配置されていることを特徴とする請求項１記載の７セグメント表示装置。
【請求項３】
前記フレームには、前記収容部を区画する隔壁部が設けられていると共に、前記枠状部の内側に設けられた前記収容部には、前記隔壁部から対応する前記導光部配置部に向かって延びる屋根部が設けられており、前記屋根部の前記プリント基板に対向する側が前記ＬＥＤ配置部となっていることを特徴とする請求項２記載の７セグメント表示装置。
【請求項４】
前記枠状部の内側に設けられた３つの前記ＬＥＤ配置部は、当該枠状部の中央部に設けられており、対応する３つの前記屋根部が前記隔壁部を介して連続して形成されていることを特徴とする請求項３記載の７セグメント表示装置。
【請求項５】
前記導光部の高さ寸法は、前記フレームの導光部配置部の深さ寸法よりも小さく、前記導光部の外側部が前記ＬＥＤと対向して配置されていることを特徴とする請求項１から請求項４のいずれかに記載の７セグメント表示装置。
【請求項６】
前記導光部は、前記フレームと一体に設けられることを特徴とする請求項１から請求項５のいずれかに記載の７セグメント表示装置。
【発明の詳細な説明】
【技術分野】
【０００１】
本発明は、各種の電子機器で例えば、十進の数値を表示する際に利用される７セグメント表示装置に関する。
【背景技術】
【０００２】
従来、プリント基板上に表面実装したＬＥＤ（発光ダイオード）と、ＬＥＤに被せて配置されると共にＬＥＤに対応した各位置に導光孔を有するハウジングと、ハウジング表面に貼着されたＬＥＤからの光を拡散する拡散シートとを備え、プリント基板への実装作業を簡素化すると共に装置全体の薄型化に対応する７セグメント表示装置が提案されている（例えば、特許文献１参照）。
【先行技術文献】
【特許文献】
【０００３】
【特許文献１】実開平７−２３３７８号公報
【発明の概要】
【発明が解決しようとする課題】
【０００４】
しかしながら、上述した７セグメント表示装置においては、ハウジングの導光孔の真上に拡散シートにおける表示部（半透明窓）が配置される一方、導光孔の真下にＬＥＤが配置される。このため、ハウジングの厚さ寸法を一定値以上に小さくすると、ＬＥＤからの光を適切に拡散できず、各表示部における輝度の均一性が確保できないという問題がある。一方、各表示部における輝度の均一性を確保しようとすると、一定値以上の厚さ寸法が必要となり、装置全体の薄型化に対応することが困難となる。
【０００５】
本発明は、このような実情に鑑みてなされたものであり、各表示部における輝度の均一性を確保しつつ、装置全体の薄型化を実現することができる７セグメント表示装置を提供することを目的とする。
【課題を解決するための手段】
【０００６】
本発明の７セグメント表示装置は、アラビア数字の８を表すように、２つの四角形状の枠状部の一辺を共通にして一方向に沿って繋げて形成される前記枠状部の各辺に対応した７つの表示部を、プリント基板上に配置された７つのＬＥＤによって照光可能な７セグメント表示装置であって、前記表示部に対応して前記プリント基板に対向配置される透光性を有する７つの導光部と、前記導光部が個別に配置される導光部配置部と前記ＬＥＤを収納可能なＬＥＤ配置部とが連続して形成されてなる収容部が前記導光部に対応して７つ設けられると共に前記プリント基板に対向配置される遮光性のフレームとを備え、２つの前記枠状部の内側に、それぞれ前記ＬＥＤ配置部を３つずつ設けると共に、前記枠状部の外側に１つの前記ＬＥＤ配置部を設けたことを特徴とする。
【０００７】
上記７セグメント表示装置によれば、ＬＥＤ配置部を枠状部の内側又は外側に設けたことから、ＬＥＤを表示部の真下から外れた位置に配置できる。さらに、１つのＬＥＤ配置部を枠状部の外側に設けたことから、ＬＥＤと表示部との距離を大きく取ることができる。このため、導光部を薄く構成しても、ＬＥＤと表示部との距離を確保すると共に、ＬＥＤからの直接的な光に起因する表示部の明るさのムラを低減できるので、表示部における輝度の均一性を確保できる。この結果、各表示部における輝度の均一性を確保しつつ、装置全体の薄型化を実現することが可能となる。
【０００８】
特に、上記７セグメント表示装置において、前記枠状部の外側に設けられた前記１つのＬＥＤ配置部は、２つの前記枠状部で共通にした一辺と対向するいずれかの一辺に対応する表示部を挟んで前記枠状部で共通にした一辺とは反対側の位置に配置されていることが好ましい。この場合には、数字（言い換えると、７セグメント表示装置）が複数並ぶ場合においても、枠状部の外側に設けられたＬＥＤ配置部を数字が並ぶ方向とは異なる方向に設けることができることから、ＬＥＤ配置部が隣接する７セグメント表示装置と干渉するのを避けることができるので、複数の７セグメント表示装置間の間隔を小さくすることが可能となる。
【０００９】
また、上記７セグメント表示装置において、前記フレームには、前記収容部を区画する隔壁部が設けられていると共に、前記枠状部の内側に設けられた前記収容部には、前記隔壁部から対応する前記導光部配置部に向かって延びる屋根部が設けられており、前記屋根部の前記プリント基板に対向する側が前記ＬＥＤ配置部となっていることが好ましい。この場合には、隔壁部から延びて設けられた屋根部のプリント基板に対向する側にＬＥＤ配置部が設けられることから、屋根部でＬＥＤの露出を制限できるので、枠状部の内側においてＬＥＤからの光が操作者に直接的に視認される事態を防止することが可能となる。
【００１０】
さらに、上記７セグメント表示装置において、前記枠状部の内側に設けられた３つの前記ＬＥＤ配置部は、当該枠状部の中央部に設けられており、対応する３つの前記屋根部が前記隔壁部を介して連続して形成されていることが好ましい。この場合には、枠状部の内側に設けられた３つのＬＥＤ配置部に対応する屋根部が隔壁部を介して連続して形成されていることから、屋根部が個別に形成される場合と比べて成形加工時の加工性を向上することが可能となる。
【００１１】
例えば、上記７セグメント表示装置において、前記導光部の高さ寸法は、前記フレームの導光部配置部の深さ寸法よりも小さく、前記導光部の外側部が前記ＬＥＤと対向して配置されていることが好ましい。この場合には、導光部の高さ寸法が導光部配置部の深さ寸法よりも小さいことから、導光部がフレームからプリント基板側に突出しないので、フレームによる遮光性が損なわれる事態を防止することが可能となる。
【００１２】
なお、上記７セグメント表示装置において、前記導光部は、前記フレームと一体に設けられるようにしてもよい。この場合には、導光部がフレームに一体に設けられることから、表示装置を構成する部品点数を低減でき、７セグメント表示装置の組み立て性を良好なものとすることが可能となる。
【発明の効果】
【００１３】
本発明によれば、各表示部における輝度の均一性を確保しつつ、装置全体の薄型化を実現することが可能となる。
【図面の簡単な説明】
【００１４】
【図１】本発明の一実施の形態に係る７セグメント表示装置の分解斜視図である。
【図２】上記実施の形態に係る７セグメント表示装置の分解斜視図である。
【図３】上記実施の形態に係る７セグメント表示装置が有するプリント基板の正面図である。
【図４】上記実施の形態に係る７セグメント表示装置が有するフレームの正面図（Ａ）及び背面図（Ｂ）である。
【図５】上記実施の形態に係る７セグメント表示装置が有するフレームの要部を拡大した斜視図である。
【図６】上記実施の形態に係る７セグメント表示装置が有するライトガイドの正面図（Ａ）及び背面図（Ｂ）である。
【図７】上記実施の形態に係る７セグメント表示装置の背面図である。
【図８】上記実施の形態に係る７セグメント表示装置の背面図である。
【図９】図８に示す矢印Ａ―Ａにおける断面図である。
【図１０】上記実施の形態の変形例に係る７セグメント表示装置の分解斜視図である。
【図１１】上記実施の形態の変形例に係る７セグメント表示装置の分解斜視図である。
【図１２】上記実施の形態の変形例に係る７セグメント表示装置の正面図（Ａ）及び背面図（Ｂ）である。
【発明を実施するための形態】
【００１５】
以下、本発明の一実施の形態について添付図面を参照して詳細に説明する。本実施の形態に係る７セグメント表示装置は、アラビア数字の８を表すように配置された７つの表示部を、プリント基板上に配置された７つのＬＥＤによって照光可能とするものであって、特に、各表示部における輝度の均一性を確保しつつ、装置全体の薄型化を実現するものである。
【００１６】
図１及び図２は、本発明の一実施の形態に係る７セグメント表示装置１の分解斜視図である。なお、以下においては、図１に示す左下方側を７セグメント表示装置１の前方側と呼び、図１に示す右上方側を７セグメント表示装置１の後方側と呼ぶものとする。図１においては、本実施の形態に係る７セグメント表示装置１を前方側から示し、図２においては、本実施の形態に係る７セグメント表示装置１を後方側から示している。
【００１７】
図１及び図２に示すように、本実施の形態に係る７セグメント表示装置１は、プリント基板２と、プリント基板２の前方側に重ねられる遮光性のフレーム３と、フレーム３の前方側に重ねられる透光性のライトガイド４と、ライトガイド４の前方側に重ねられるカバーシート５とを含んで構成される。すなわち、ライトガイド４は、プリント基板２に対向配置されており、プリント基板２とライトガイド４との間にフレーム３が介設されている。これらのプリント基板２、フレーム３、ライトガイド４及びカバーシート５は、前面視して同一の長方形状を有している。各部材間を接着剤等で接着することにより、本実施の形態に係る７セグメント表示装置１が構成される。
【００１８】
プリント基板２は、ガラスエポキシ樹脂などの材料で構成され、平板形状を有している。プリント基板２の前面の所定位置には、複数のＬＥＤ２０１が実装されている。フレーム３は、例えば、黒色で絶縁性の樹脂材料で成形され、平板形状を有する板状部３０１を有する。板状部３０１には、前後方向に貫通して複数の収容部３０２（貫通部３０３）が形成されている。
【００１９】
ライトガイド４は、例えば、透明或いは乳白色のアクリル樹脂などの材料で成形され、平板形状を有する板状部４０１を有する。板状部４０１の後面には、後方側に突出する複数の導光部４０２が設けられている。カバーシート５は、ガラスやアクリル樹脂などの透光性で光散乱性（光拡散性）を有する材料（例えば、乳白色の材料）で構成される板状部５０１を有する。板状部５０１の後面には、複数の表示部５０２が形成されるように、表示部５０２を除いた領域に黒色インクが塗布されている。すなわち、カバーシート５は、表示部５０２が透光性を有し、その他の部分は黒色インクにより遮光されたものとなっている。
【００２０】
以下、本実施の形態に係る７セグメント表示装置１の各部材の構成について説明する。図３は、本実施の形態に係る７セグメント表示装置１が有するプリント基板２の正面図である。なお、図３においては、説明の便宜上、カバーシート５が重ねられた場合のプリント基板２を示し、これらの間に配置されるフレーム３及びライトガイド４は省略している。また、カバーシート５の黒色インクで正面からは視認されてないＬＥＤ２０１を、説明の便宜上、図３に図示している。
【００２１】
図３に示すように、カバーシート５においては、アラビア数字の８を表す７つの表示部５０２が水平方向に３つ並べて配置されている。アラビア数字の８を表す７つの表示部５０２は、２つの四角形状の枠状部５０３（５０３Ａ、５０３Ｂ）の一辺（枠状部５０３Ａの下辺、枠状部５０３Ｂの上辺）を共通にして一方向（図３に示す上下方向）に沿って繋げて形成されている。枠状部５０３Ａの上辺、左辺、右辺及び下辺には、それぞれ表示部５０２Ａ、５０２Ｂ、５０２Ｃ及び５０２Ｄが配置される。同様に、枠状部５０３Ｂの上辺、左辺、右辺及び下辺には、それぞれ表示部５０２Ｄ、５０２Ｅ、５０２Ｆ及び５０２Ｇが配置される。
【００２２】
プリント基板２には、アラビア数字の８を表す７つの表示部５０２に対応づけて７つのＬＥＤ２０１が実装されている。７つのＬＥＤ２０１は、プリント基板２の下方側部分に実装されたＬＥＤ群２０１Ａと、これらのＬＥＤ群２０１Ａよりも上方側に配置されたＬＥＤ群２０１Ｂと、これらのＬＥＤ群２０１Ｂよりも上方側に配置されたＬＥＤ２０１Ｃとから構成される。前面視してＬＥＤ群２０１Ａは、表示部５０２Ｄ〜５０２Ｇからなる枠状部５０３Ｂの内側に配置され、ＬＥＤ群２０１Ｂは、表示部５０２Ａ〜５０２Ｄからなる枠状部５０３Ａの内側に配置され、ＬＥＤ２０１Ｃは、枠状部５０３Ａの外側であって、その上辺を構成する表示部５０２Ａの上方側に配置される。
【００２３】
ＬＥＤ群２０１Ａは、３つのＬＥＤ２０１Ａ１〜２０１Ａ３を含んでいる。ＬＥＤ２０１Ａ１は、枠状部５０３Ｂの下辺を構成する表示部５０２Ｇの照光用に利用され、ＬＥＤ２０１Ａ２は、枠状部５０３Ｂの左辺を構成する表示部５０２Ｅの照光用に利用され、ＬＥＤ２０１Ａ３は、枠状部５０３Ｂの右辺を構成する表示部５０２Ｆの照光用に利用される。同様に、ＬＥＤ群２０１Ｂは、３つのＬＥＤ２０１Ｂ１〜２０１Ｂ３を含んでいる。ＬＥＤ２０１Ｂ１、２０１Ｂ２及び２０１Ｂ３は、それぞれ枠状部５０３Ａの下辺、左辺及び右辺を構成する表示部５０２Ｄ、５０２Ｂ及び５０２Ｃの照光用に利用される。また、ＬＥＤ２０１Ｃは、枠状部５０３Ａの上辺を構成する表示部５０２Ａの照光用に利用される。
【００２４】
図４Ａ及び図４Ｂは、それぞれ本実施の形態に係る７セグメント表示装置１が有するフレーム３の正面図及び背面図である。図５は、本実施の形態に係る７セグメント表示装置１が有するフレーム３の要部を拡大した斜視図である。なお、図５においては、フレーム３の一部を背面側から示している。
【００２５】
図４Ａに示すように、フレーム３には、板状部３０１を前後方向に貫通して７つの収容部３０２が形成されている。７つの収容部３０２は、板状部３０１の上端部近傍で概して水平に設けられた収容部３０２Ａと、収容部３０２Ａの左端部、右端部の下方側にそれぞれ設けられた収容部３０２Ｂ、３０２Ｃと、収容部３０２Ａと対向し、板状部３０１の中央部近傍で概して水平に設けられた収容部３０２Ｄと、収容部３０２Ｄの左端部、右端部の下方側にそれぞれ設けられた収容部３０２Ｅ、３０２Ｆと、板状部３０１の下端部近傍で概して水平に設けられた収容部３０２Ｇとから構成される。
【００２６】
各収容部３０２は、図４Ｂに示すように、ライトガイド４の導光部４０２を個別に配置可能な導光部配置部としての貫通部３０３と、プリント基板２上のＬＥＤ２０１を収納可能なＬＥＤ配置部３０４とが連続して設けられている。収容部３０２Ａを構成する貫通部３０３Ａには、ＬＥＤ配置部３０４Ａが連続して設けられている。同様に、収容部３０２Ｂ〜３０２Ｇを構成する貫通部３０３Ｂ〜３０３Ｇには、それぞれＬＥＤ配置部３０４Ｂ〜３０４Ｇが連続して設けられている。ＬＥＤ配置部３０４Ａは、収容部３０２Ａを構成する貫通部３０３Ａの上方側に連続して設けられている。一方、ＬＥＤ配置部３０４Ｂ〜３０４Ｇは、それぞれ収容部３０２Ｂ〜３０２Ｇを構成する貫通部３０３Ｂ〜３０３Ｇの内側に連続して設けられている。
【００２７】
また、フレーム３には、図４及び図５に示すように、各収容部３０２を区画する隔壁部３０５が設けられている。隔壁部３０５は、収容部３０２Ａと、収容部３０２Ｂ及び収容部３０２Ｃとの間に配置された第１隔壁部３０５Ａと、収容部３０２Ｂと収容部３０２Ｃとの間に配置された第２隔壁部３０５Ｂと、収容部３０２Ｂと収容部３０２Ｄとの間に配置された第３隔壁部３０５Ｃと、収容部３０２Ｃと収容部３０２Ｄとの間に配置された第４隔壁部３０５Ｄとを有する。また、隔壁部３０５は、収容部３０２Ｄと、収容部３０２Ｅ及び収容部３０２Ｆとの間に配置された第５隔壁部３０５Ｅと、収容部３０２Ｅと収容部３０２Ｆとの間に配置された第６隔壁部３０５Ｆと、収容部３０２Ｅと収容部３０２Ｇとの間に配置された第７隔壁部３０５Ｇと、収容部３０２Ｆと収容部３０２Ｇとの間に配置された第８隔壁部３０５Ｈとを有する。
【００２８】
さらに、フレーム３には、各収容部３０２を構成するＬＥＤ配置部３０４において、それぞれ収納されたＬＥＤ２０１のフレーム３の前方側への露出を制限する前壁部３０６が設けられている。前壁部３０６は、屋根部を構成するものであり、ＬＥＤ２０１からの光がフレーム３（７セグメント表示装置１）の前面側から操作者に直接的に視認されるのを防止する役割を果たす。前壁部３０６は、ＬＥＤ配置部３０４Ａ〜３０４Ｇに対応してそれぞれ設けられた前壁部３０６Ａ〜３０６Ｇを有する。これらの前壁部３０６Ａ〜３０６Ｇの前面は、フレーム３の前面と同一平面上に設けられている。
【００２９】
前壁部３０６Ｂは、第１隔壁部３０５Ａと第３隔壁部３０５Ｃとの間で第２隔壁部３０５Ｂの前端部から貫通部３０３Ｂ側（図４Ｂに示す右方側）に延出して設けられている。前壁部３０６Ｃは、第１隔壁部３０５Ａと第４隔壁部３０５Ｄとの間で第２隔壁部３０５Ｂの前端部から貫通部３０３Ｃ側（図４Ｂに示す左方側）に延出して設けられている。前壁部３０６Ｄは、第３隔壁部３０５Ｃと第４隔壁部３０５Ｄとの間で第２隔壁部３０５Ｂの前端部から貫通部３０３Ｄ側（図４Ｂに示す下方側）に延出して設けられている。
【００３０】
同様に、前壁部３０６Ｅは、第５隔壁部３０５Ｅと第７隔壁部３０５Ｇとの間で第６隔壁部３０５Ｆの前端部から貫通部３０３Ｅ側（図４Ｂに示す右方側）に延出して設けられている。前壁部３０６Ｆは、第５隔壁部３０５Ｅと第８隔壁部３０５Ｈとの間で第６隔壁部３０５Ｆの前端部から貫通部３０３Ｆ側（図４Ｂに示す左方側）に延出して設けられている。前壁部３０６Ｇは、第７隔壁部３０５Ｇと第８隔壁部３０５Ｈとの間で第６隔壁部３０５Ｆの前端部から貫通部３０３Ｇ側（図４Ｂに示す下方側）に延出して設けられている。
【００３１】
このように、枠状部５０３Ａの内側に位置する前壁部３０６Ｂ〜３０６Ｄは、第２隔壁部３０５Ｂを介して連続して形成されている。このため、これらの前壁部３０６Ｂ〜３０６Ｄが個別に形成される場合と比べて成形加工時の加工性を向上することが可能となる。すなわち、前壁部３０６を個別に形成する場合には、成形金型に前壁部３０６のみを成形するためのキャビティを設ける必要がある。しかしながら、前壁部３０６のみを成形するためのキャビティについては、厚さ寸法が極めて小さくなり、キャビティ全体に成形樹脂を充填することができない事態が発生し得る。これに対し、複数の前壁部３０６を、隔壁部３０５を介して連続して形成する場合には、例えば、隔壁部３０５の近傍に成形樹脂を注入するためのゲートを配置することができ、前壁部３０６のみを成形するためのキャビティの全体に成形樹脂を充填することが可能となる。なお、枠状部５０３Ｂの内側に設けられ、第６隔壁部３０５Ｆを介して連続して形成される前壁部３０６Ｅ〜３０６Ｇについても同様である。
【００３２】
図６Ａ及び図６Ｂは、それぞれ本施の形態に係る７セグメント表示装置１が有するライトガイド４の正面図及び背面図である。なお、図６Ａにおいては、説明の便宜上、ライトガイド４の側面図も示している。また、図６Ａにおいては、説明の便宜上、ライトガイド４の後面側に突出して設けられる導光部４０２を破線にて示している。
【００３３】
図６に示すように、ライトガイド４には、板状部４０１の後面から後方側に突出して７つの導光部４０２が設けられている。導光部４０２の高さ寸法（図６に示す紙面奥行方向の寸法）は、フレーム３の収容部３０２（貫通部３０３）の深さ寸法（図４に示す紙面奥行方向の寸法）よりも小さく設定されている。
【００３４】
７つの導光部４０２は、板状部４０１の上端部近傍で概して水平に設けられた導光部４０２Ａと、導光部４０２Ａの左端部、右端部の下方側にそれぞれ設けられた導光部４０２Ｂ、４０２Ｃと、導光部４０２Ａと対向し、板状部４０１の中央部近傍で概して水平に設けられた導光部４０２Ｄと、導光部４０２Ｄの左端部、右端部の下方側にそれぞれ設けられた導光部４０２Ｅ、４０２Ｆと、板状部４０１の下端部近傍で概して水平に設けられた導光部４０２Ｇとから構成される。
【００３５】
これらの導光部４０２Ａ〜４０２Ｇは、フレーム３の収容部３０２Ａ〜３０２Ｇに対応する位置に配置されている。導光部４０２Ａは、収容部３０２Ａを構成する貫通部３０３Ａに収容可能な形状に設けられている。同様に、導光部４０２Ｂ〜４０２Ｇは、収容部３０２Ｂ〜３０２Ｇを構成する貫通部３０３Ｂ〜３０２Ｇに収容可能な形状に設けられている。
【００３６】
以下、本実施の形態に係る７セグメント表示装置１の構成部材の位置関係について図７〜図９を参照しながら説明する。図７及び図８は、本実施の形態に係る７セグメント表示装置１の背面図である。図９は、図８に示す矢印Ａ―Ａにおける断面図である。なお、図７及び図８においては、説明の便宜上、プリント基板２を省略し、プリント基板２に実装されるＬＥＤ２０１のみを示している。また、図７においては、説明の便宜上、カバーシート５を省略している。
【００３７】
図７に示すように、ライトガイド４がフレーム３に重ねられると、板状部４０１の後面に設けられた導光部４０２Ａ〜４０２Ｇは、それぞれ収容部３０２Ａ〜３０２Ｇ（貫通部３０３Ａ〜３０３Ｇ）に収容される。一方、フレーム３がプリント基板２に重ねられると、プリント基板２の前面に実装されたＬＥＤ２０１は、それぞれＬＥＤ配置部３０４に収納される。具体的には、ＬＥＤ群２０１Ａは、ＬＥＤ配置部３０４Ｅ〜３０４Ｇに収納され、ＬＥＤ群２０１Ｂは、ＬＥＤ配置部３０４Ｂ〜３０４Ｄに収納され、ＬＥＤ２０１Ｃは、ＬＥＤ配置部３０４Ａに収納される。
【００３８】
一方、フレーム３に重ねられたライトガイド４にカバーシート５が重ねられると、図８に示すように、板状部５０１の後面に形成された表示部５０２は、導光部４０２（収容部３０２）に対応する位置に配置される。具体的には、表示部５０２Ａ〜５０２Ｄは、それぞれ導光部４０２Ａ〜４０２Ｄ（収容部３０２Ａ〜３０２Ｄ）に対応する位置に配置され、表示部５０２Ｅ〜５０２Ｇは、それぞれ導光部４０２Ｅ〜４０２Ｇ（収容部３０２Ｅ〜３０２Ｇ）に対応する位置に配置される。
【００３９】
すなわち、ＬＥＤ配置部３０４Ｂ〜３０４Ｄ、ＬＥＤ配置部３０４Ｅ〜３０４Ｇは、それぞれ枠状部５０３Ａを構成する表示部５０２Ａ〜５０２Ｄ、枠状部５０３Ｂを構成する表示部５０２Ｄ〜５０２Ｇの内側に対応する位置に配置され、ＬＥＤ配置部３０４Ａは、枠状部５０３Ａの外側に対応する位置に配置されている。このため、これらのＬＥＤ配置部３０４Ａ〜３０４Ｇに収納されるＬＥＤ２０１は、表示部５０２の真下から外れた位置に配置される。
【００４０】
そして、プリント基板２、フレーム３、ライトガイド４及びカバーシート５が重ねられると、図９に示すように、プリント基板２の前面に板状部３０１の後面が密着状態とされる。そして、板状部３０１の前面に板状部４０１の後面が密着状態とされ、板状部４０１の前面に板状部５０１の後面が密着状態とされる。導光部４０２は、収容部３０２（貫通部３０３）に収容され、その先端面（後面）がプリント基板２の前面と対向する位置に配置される。
【００４１】
ここで、導光部４０２の高さ寸法（図９に示す左右方向の寸法）は、フレーム３の収容部３０２の深さ寸法（図９に示す左右方向の寸法）よりも小さく設定されている。このため、図９に示すように、各構成部材を一体化した状態において、導光部４０２がプリント基板２に当接しないので、ライトガイド４とプリント基板２との間に介設されるフレーム３を所望の位置に配置でき、フレーム３による遮光性が損なわれる事態を防止することが可能となる。
【００４２】
なお、図９に示すように、ＬＥＤ２０１Ｃを上側として、７セグメント表示装置１を見た場合において、収容部３０２に収容された導光部４０２の先端部の上面又は側面は、プリント基板２の前面に実装されたＬＥＤ２０１の下面又は側面と対峙する位置に配置されている。ＬＥＤ２０１と対峙する導光部４０２の上面又は側面は、ライトガイド４への入光部を構成している。このように収容部３０２に収容された導光部４０２の一部をＬＥＤ２０１と対峙させて入光部を構成することから、ＬＥＤ２０１からの光を適切に導光部４０２（ライトガイド４）内に導くことが可能となる。
【００４３】
ＬＥＤ２０１からの光は、対峙する入光部から進入し、導光部４０２を介してカバーシート５の表示部５０２に導かれる。例えば、ＬＥＤ配置部３０４Ａに収納されたＬＥＤ２０１Ｃからの光は、導光部４０２Ａの入光部から進入し、導光部４０２Ａを介して表示部５０２Ａに導かれる。同様に、ＬＥＤ配置部３０４Ｄに収納されたＬＥＤ２０１Ｂ１からの光は、導光部４０２Ｄの入光部から進入し、導光部４０２Ｄを介して表示部５０２Ｄに導かれる。この場合において、ＬＥＤ配置部３０４Ａ、３０４Ｄは、前壁部３０６Ａ、３０６Ｄの後方側（プリント基板２側）に設けられていることから、前壁部３０６Ａ、３０６ＤでＬＥＤ２０１Ｃ、２０１Ｂ１の露出を制限できるので、操作者によりＬＥＤ２０１Ｃ、２０１Ｂ１からの光が直接的に視認されることはない。
【００４４】
このように本実施の形態に係る７セグメント表示装置１においては、２つの枠状部５０３Ａ、５０３Ｂの内側に、それぞれＬＥＤ配置部３０４を３つずつ設けると共に、枠状部５０３Ａの外側に１つのＬＥＤ配置部３０４Ａを設けている。これにより、ＬＥＤ配置部３０４を枠状部５０３Ａ、５０３Ｂの内側又は外側に設けたことから、ＬＥＤ２０１を表示部５０２の真下から外れた位置に配置できる。さらに、１つのＬＥＤ配置部３０４Ａを枠状部５０３Ａの外側に設けたことから、ＬＥＤ２０１と表示部５０２との距離を大きく取ることができる。このため、ライトガイド４（導光部４０２）を薄く構成しても、ＬＥＤ２０１と表示部５０２との距離を確保すると共に、ＬＥＤ２０１からの直接的な光に起因する表示部５０２の明るさのムラを低減できるので、表示部５０２における輝度の均一性を確保できる。この結果、各表示部５０２における輝度の均一性を確保しつつ、装置全体の薄型化を実現することが可能となる。
【００４５】
特に、本実施の形態に係る７セグメント表示装置１においては、ＬＥＤ配置部３０４Ａを、２つの枠状部５０３Ａ、５０３Ｂで共通にした一辺（枠状部５０３Ａの下辺、枠状部５０３Ｂの上辺）と対向する一辺に対応する表示部５０２Ａを挟んで枠状部５０３Ａ、５０３Ｂで共通にした一辺（枠状部５０３Ａの下辺、枠状部５０３Ｂの上辺）とは反対側（上方側）の位置に配置している。これにより、数字が複数並ぶ場合においても、枠状部５０３Ａの外側に設けられたＬＥＤ配置部３０４Ａを数字が並ぶ方向とは異なる方向に設けることができることから、ＬＥＤ配置部３０４Ａが隣接する数字と干渉するのを避けることができるので、複数の数字間の間隔を小さくすることが可能となる。
【００４６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４７】
例えば、上記実施の形態においては、アラビア数字の８を水平方向に３個配列して表示可能な７セグメント表示装置１について説明しているが、その表示数についてはこれに限定されるものではない。例えば、単一のアラビア数字の８のみを表示する７セグメント表示装置に適用することも可能である。このように変更した場合にも、上記実施の形態と同様に、各表示部における輝度の均一性を確保しつつ、装置全体の薄型化を実現した７セグメント表示装置１を提供できる。
【００４８】
また、上記実施の形態に係る７セグメント表示装置１においては、収容部３０２Ａ、３０２Ｄ及び３０２Ｇにおいて、ＬＥＤ配置部３０４Ａ、３０４Ｄ及び３０４Ｇを貫通部３０３Ａ、３０３Ｄ及び３０３Ｇの上方に連続して設ける場合について説明している。このようにＬＥＤ配置部３０４を配置する場合、ＬＥＤ配置部３０４に収納されるＬＥＤ２０１からの光は、下方側に向けて指向性を有する。このため、上記実施の形態に係る７セグメント表示装置１は、操作者が下方側から確認する利用形態に好適である。例えば、エアコン等の操作者が上方側を向いて７セグメント表示装置１の表示を確認する機器に搭載することが好ましい。
【００４９】
一方、洗濯機等の操作者が下方側を向いて７セグメント表示装置１の表示を確認する機器に搭載する場合には、例えば、収容部３０２Ａ、３０２Ｄ及び３０２Ｇにおいて、ＬＥＤ配置部３０４Ａ、３０４Ｄ及び３０４Ｇを貫通部３０３Ａ、３０３Ｄ及び３０３Ｇの下方側に連続して設けることが好ましい。このように７セグメント表示装置１が搭載される機器の利用形態（設置位置等）に対応する位置にＬＥＤ配置部３０４を配置することにより、操作者において、より視認性に優れた７セグメント表示装置１を提供することが可能となる。
【００５０】
また、上記実施の形態に係る７セグメント表示装置１においては、遮光性を有するフレーム３と、透光性を有するライトガイド４とを個別に備え、これらを積層する場合について説明している。しかしながら、本実施の形態に係る７セグメント表示装置１の構成については、これに限定されるものではなく適宜変更が可能である。例えば、フレーム３を２色成形（異材質成形）し、ライトガイド４の導光部４０２の機能をフレーム３に備えるようにしてもよい。以下、フレーム３を２色成形した形態の７セグメント表示装置について説明する。
【００５１】
図１０及び図１１は、本実施の形態の変形例に係る７セグメント表示装置１０の分解斜視図である。なお、図１０及び図１１において、上記実施の形態に係る７セグメント表示装置１と共通する機能を有する部材については、それらと同一の符号を付し、その詳細な説明を省略する。また、図１０及び図１１においては、説明の便宜上、２色成形される導光部３０８をフレーム３０の板状部３０７から抜き出して分離して示すと共に、カバーシート５を省略している。
【００５２】
図１０及び図１１に示すように、本実施の形態の変形例に係る７セグメント表示装置１０は、異材質の樹脂材料で２色成形されるフレーム３０を備える。フレーム３０においては、遮光性を有する樹脂材料（例えば、黒色の材料）で成形される板状部３０７と、この板状部３０７内に透光性及び光散乱性を有する樹脂材料（例えば、乳白色の材料）で成形される複数の導光部３０８とを有する。板状部３０７には、導光部３０８が一部に配置される複数の収容部３０９が設けられている。導光部３０８は、７つの導光部３０８Ａ〜３０８Ｇから構成される。収容部３０９は、７つの収容部３０９Ａ〜３０９Ｇから構成される。
【００５３】
収容部３０９は、図１１に示すように、導光部３０８が配置される導光部配置部３１０と、プリント基板２上のＬＥＤ２０１を収納可能なＬＥＤ配置部３１１とが連続して設けられている。なお、仮に、フレーム３０の板状部３０７から導光部３０８を抜き出した（分離した）場合において、導光部配置部３１０は、板状部３０７を前後方向（板厚方向）に貫通した構成となっている。収容部３０９Ａを構成する導光部配置部３１０Ａには、ＬＥＤ配置部３１１Ａが連続して設けられている。同様に、収容部３０９Ｂ〜３０９Ｇを構成する導光部配置部３１０Ｂ〜３１０Ｇには、それぞれＬＥＤ配置部３１１Ｂ〜３１１Ｇが連続して設けられている。ＬＥＤ配置部３１１Ａは、導光部配置部３１０Ａの上方側に連続して設けられている。一方、ＬＥＤ配置部３１１Ｂ〜３１１Ｇは、それぞれ導光部配置部３１０Ｂ〜３１０Ｇの内側に連続して設けられている。
【００５４】
なお、フレーム３０において、複数の収容部３０９Ａ〜３０９Ｇを区画する隔壁部が設けられる点、ＬＥＤ配置部３１１において、ＬＥＤ２０１のフレーム３０の前方側への露出を制限する前壁部が設けられる点、並びに、特定の前壁部が隔壁部を介して連続して形成されている点については、上記実施の形態に係る７セグメント表示装置１と同様であり、その説明を省略する。
【００５５】
これらの収容部３０９Ａ〜３０９Ｇを構成する導光部配置部３１０Ａ〜３１０Ｇに導光部３０８Ａ〜３０８Ｇが配置される。例えば、第１の成形金型に板状部３０７を構成する樹脂材料を充填して板状部３０７を成形して固化させた後、成形体を第２の成形金型に移動させる。そして、第２の成形金型に配置された板状部３０７の導光部配置部３１０Ａ〜３１０Ｇに導光部３０８を構成する樹脂材料を充填して固化させることにより、フレーム３０が形成される。
【００５６】
導光部３０８Ａ〜３０８Ｇは、概して直方体形状を有する。導光部３０８Ａ〜３０８Ｇの下部側において、導光部配置部３１０Ａ〜３１０Ｇに配置された状態におけるＬＥＤ２０１側の位置には、円弧形状を有する凹部３１２が設けられている（図１１参照）。導光部３０８Ａにおいて、凹部３１２は、上方側の側面に設けられている。導光部３０８Ｂ〜３０８Ｇにおいて、凹部３１２は、それぞれの導光部３０８Ｂ〜３０８Ｇの内側の側面に設けられている。これらの凹部３１２は、ＬＥＤ配置部３１１Ａ〜３１１Ｇに配置されたＬＥＤ２０１からの光の入光部を構成する。
【００５７】
これらの構成部材を積層した状態の７セグメント表示装置１０の構成について説明する。図１２Ａ及び図１２Ｂは、それぞれ本実施の形態の変形例に係る７セグメント表示装置１０の正面図及び背面図である。なお、図１２においては、説明の便宜上、プリント基板２及びカバーシート５を省略している。
【００５８】
図１２に示すように、フレーム３０の収容部３０９Ａ〜３０９Ｇ（より具体的には、導光部配置部３１０Ａ〜３１０Ｇ）には、導光部３０８Ａ〜３０８Ｇが配置されている。一方、フレーム３０がプリント基板２に重ねられると、プリント基板２の前面に実装されたＬＥＤ２０１は、それぞれＬＥＤ配置部３１１に収納される。具体的には、ＬＥＤ群２０１Ａは、ＬＥＤ配置部３１１Ｅ〜３１１Ｇに収納され、ＬＥＤ群２０１Ｂは、ＬＥＤ配置部３１１Ｂ〜３１１Ｄに収納され、ＬＥＤ２０１Ｃは、ＬＥＤ配置部３１１Ａに収納される。
【００５９】
この場合において、導光部３０８Ａ〜３０８Ｇの側面に設けられた凹部３１２は、図１２Ｂにおいて、プリント基板２の前面に実装されたＬＥＤ２０１の下面又は側面と対峙する位置に配置されている。なお、これらの凹部３１２は、導光部３０８Ａ〜３０８Ｇへの入光部を構成している。このように導光部配置部３１０Ａ〜３１０Ｇに配置された導光部３０８Ａ〜３０８Ｇの入光部を構成する凹部３１２をＬＥＤ２０１と対峙させていることから、ＬＥＤ２０１からの光を適切に導光部３０８Ａ〜３０８Ｇ内に導くことが可能となる。
【００６０】
このように構成した７セグメント表示装置１０においても、ＬＥＤ配置部３１１がカバーシート５の枠状部５０３Ａ、５０３Ｂの内側又は外側に設けられることから、ＬＥＤ２０１を表示部５０２の真下から外れた位置に配置できる。さらに、１つのＬＥＤ配置部３１１Ａがカバーシート５の枠状部５０３Ａの外側に設けられることから、ＬＥＤ２０１と表示部５０２との距離を大きく取ることができる。このため、導光部３０８を薄く構成しても、ＬＥＤ２０１と表示部５０２との距離を確保すると共に、ＬＥＤ２０１からの直接的な光に起因する表示部５０２の明るさのムラを低減できるので、表示部５０２における輝度の均一性を確保できる。この結果、各表示部５０２における輝度の均一性を確保しつつ、装置全体の薄型化を実現することが可能となる。
【００６１】
特に、変形例に係る７セグメント表示装置１０においては、導光部３０８Ａ〜３０８Ｇがフレーム３０の一部として２色成形されており、フレーム３０と一体に設けられている。このため、上記実施の形態のようにフレーム３の別部材であるライトガイド４に導光部４０２を有する場合と比べ、７セグメント表示装置１０を構成する部品点数を低減でき、装置の組み立て性を良好なものとすることが可能となる。
【００６２】
なお、図１０〜図１２に示す変形例に係る７セグメント表示装置１０においては、導光部３０８Ａ〜３０８Ｇを独立して構成する場合について説明している。しかしながら、導光部３０８の構成については、これに限定されるものではなく適宜変更が可能である。例えば、導光部３０８Ａ〜３０８Ｇを構成する一部又は全部を連続する構成としても良い。このように変更した場合には、成形金型に設けられる単一のゲート部から複数の導光部３０８に樹脂材料を充填できるので、導光部３０８Ａ〜３０８Ｇを独立して構成する場合に比べて成形工程に要するコストを低減することが可能となる。
【００６３】
また、変形例に係る７セグメント表示装置１０においては、導光部３０８Ａ〜３０８Ｇの樹脂材料として、透光性及び光散乱性を有する材料（例えば、乳白色の樹脂材料）を用いているので、カバーシート５は無くても構わない。カバーシート５を用いない場合には、導光部３０８Ａ〜３０８Ｇのそれぞれの表面が、アラビア数字の８を表す７つの表示部として機能する。この表示部においては、導光部３０８Ａ〜３０８Ｇのそれぞれが、一辺（導光部３０８Ｄ）を共通にして上下方向とつなげた２つの四角形状の枠状部の各辺を構成している（図１２Ａ参照）。すなわち、導光部３０８Ａ〜３０８Ｄが上方側の枠状部を構成し、導光部３０８Ｄ〜３０８Ｇが下方側の枠状部を構成したものとなる。このように７セグメント表示装置を構成することにより、部品点数（カバーシート）を削減できるので、より薄型の表示装置とすることが可能となる。
【符号の説明】
【００６４】
１、１０  ７セグメント表示装置
２  プリント基板
２０１、２０１Ａ１〜２０１Ａ３、２０１Ｂ１〜２０１Ｂ３、２０１Ｃ  ＬＥＤ
２０１Ａ  ＬＥＤ群
２０１Ｂ  ＬＥＤ群
３、３０  フレーム
３０１、３０７  板状部
３０２、３０２Ａ〜３０２Ｇ  収容部
３０３、３０３Ａ〜３０３Ｇ  貫通部
３０４、３０４Ａ〜３０４Ｇ  ＬＥＤ配置部
３０５  隔壁部
３０５Ａ〜３０５Ｈ  第１隔壁部〜第８隔壁部
３０６、３０６Ａ〜３０６Ｇ  前壁部
３０８、３０８Ａ〜３０８Ｇ  導光部
３０９、３０９Ａ〜３０９Ｇ  収容部
３１０、３１０Ａ〜３１０Ｇ  導光部配置部
３１１、３１１Ａ〜３１１Ｇ  ＬＥＤ配置部
４  ライトガイド
４０１  板状部
４０２、４０２Ａ〜４０２Ｇ  導光部
５  カバーシート
５０１  板状部
５０２、５０２Ａ〜５０２Ｇ  表示部
５０３Ａ、５０３Ｂ  枠状部
【図１】
2013190745.tif 000003
【図２】
2013190745.tif 000004
【図３】
2013190745.tif 000005
【図４】
2013190745.tif 000006
【図５】
2013190745.tif 000007
【図６】
2013190745.tif 000008
【図７】
2013190745.tif 000009
【図８】
2013190745.tif 000010
【図９】
2013190745.tif 000011
【図１０】
2013190745.tif 000012
【図１１】
2013190745.tif 000013
【図１２】
2013190745.tif 000014